(57)【要約】【課題】  機動性が高く激しい姿勢変化が伴う飛翔体においてアンテナ間に相関があってもダイバーシチ受信を有効に行なうことが可能な受信機を得る。【解決手段】  送信機において、分岐された送信データの一方は遅延部１１により遅延を受けた後、拡散部１３‐２に入力される。拡散部１３‐１及び１３‐２は異なる拡散符号を用いて入力データを拡散し、これら拡散出力は合成されて送信される。受信機では、アンテナ１６‐１及び１６‐２により受信された各信号は逆拡散部１７‐１及び１７‐２により上記異なる拡散符号を用いて逆拡散され。また、遅延部１９により送信データに与えられた遅延差が吸収され、そして切替部２０は入力信号のいずれか一方を選択出力する。【選択図】      図１
2006279624.tif 000002
【特許請求の範囲】
【請求項１】
分岐された送信データにそれぞれ異なる遅延時間を与え、これら遅延出力を異なる拡散符号を用いて拡散し、これら拡散出力を合成して送信された信号を受信する受信機であって、
複数のアンテナと、
前記複数のアンテナを介して受信されたブランチ信号を前記異なる拡散符号を用いて逆拡散する逆拡散手段と、
前記逆拡散手段の出力にそれぞれ異なる遅延時間を与えて前記送信データに与えられた遅延差を吸収する遅延手段と、
前記遅延手段の出力のいずれかを選択出力する切替手段とを含むことを特徴とする受信機。
【請求項２】
分岐された送信データにそれぞれ異なる遅延時間を与え、これら遅延出力を異なる拡散符号を用いて拡散し、これら拡散出力を合成して送信された信号を受信する受信機であって、
複数のアンテナと、
前記複数のアンテナ各々毎に、該アンテナを介して受信され分岐されたブランチ信号を前記異なる拡散符号を用いて逆拡散する逆拡散手段と、
前記逆拡散手段の出力にそれぞれ異なる遅延時間を与えて前記送信データに与えられた遅延差を吸収する遅延手段と、
前記遅延手段の出力のいずれかを選択出力する切替手段とを含むことを特徴とする受信機。
【請求項３】
前記送信された信号は、前記送信データに対し誤り訂正符号化及びインターリーブを施されており、
前記逆拡散手段の出力に対し前記インターリーブと逆のデインターリーブを行なって前記遅延手段に出力するデインターリーブ手段と、前記切替手段の出力に対し誤り訂正復号化を行なう誤り訂正復号化手段とを含むことを特徴とする請求項１または２記載の受信機。
【請求項４】
前記切替手段は、前記ブランチ信号の受信レベルを基に前記遅延手段の出力のいずれかを選択出力することを特徴とする請求項１〜３いずれか記載の受信機。
【請求項５】
前記切替手段は、前記ブランチ信号の受信レベルに加え前記ブランチ信号の誤り検出結果を基に前記遅延手段の出力のいずれかを選択出力することを特徴とする請求項４記載の受信機。
【請求項６】
飛翔体に設けられ、前記複数のアンテナは、前記飛翔体の機体上部に設けられる上部アンテナと、機体下部に設けられる下部アンテナとであることを特徴とする請求項１〜５いずれか記載の受信機。
【請求項７】
請求項１〜６いずれか記載の受信機を有することを特徴とする飛翔体。
【請求項８】
分岐された送信データにそれぞれ異なる遅延時間を与え、これら遅延出力を異なる拡散符号を用いて拡散し、これら拡散出力を合成して送信された信号を受信する受信機の受信方法であって、
前記受信機の複数のアンテナを介して受信されたブランチ信号を前記異なる拡散符号を用いて逆拡散する逆拡散ステップと、
前記逆拡散ステップによる逆拡散出力にそれぞれ異なる遅延時間を与えて前記送信データに与えられた遅延差を吸収する遅延ステップと、
前記遅延ステップによる遅延出力のいずれかを選択出力する切替ステップとを含むことを特徴とする受信方法。
【請求項９】
分岐された送信データにそれぞれ異なる遅延時間を与え、これら遅延出力を異なる拡散符号を用いて拡散し、これら拡散出力を合成して送信された信号を受信する受信機の受信方法であって、
前記受信機の複数のアンテナ各々毎に、該アンテナを介して受信され分岐されたブランチ信号を前記異なる拡散符号を用いて逆拡散する逆拡散ステップと、
前記逆拡散ステップによる逆拡散出力にそれぞれ異なる遅延時間を与えて前記送信データに与えられた遅延差を吸収する遅延ステップと、
前記遅延ステップによる遅延出力のいずれかを選択出力する切替ステップとを含むことを特徴とする受信方法。
【請求項１０】
前記送信された信号は、前記送信データに対し誤り訂正符号化及びインターリーブを施されており、
前記遅延ステップの前に、前記逆拡散ステップによる逆拡散出力に対し前記インターリーブと逆のデインターリーブを行なうデインターリーブステップと、前記切替ステップによる選択出力に対し誤り訂正復号化を行なう誤り訂正復号化ステップとを含むことを特徴とする請求項８または９記載の受信方法。
【請求項１１】
前記切替ステップは、前記ブランチ信号の受信レベルを基に前記遅延ステップによる遅延出力のいずれかを選択出力することを特徴とする請求項８〜１０いずれか記載の受信方法。
【請求項１２】
前記切替ステップは、前記ブランチ信号の受信レベルに加え前記ブランチ信号の誤り検出結果を基に前記遅延ステップによる遅延出力のいずれかを選択出力することを特徴とする請求項１１記載の受信方法。
【請求項１３】
前記受信機は飛翔体に設けられ、前記複数のアンテナは、前記飛翔体の機体上部に設けられる上部アンテナと、機体下部に設けられる下部アンテナとであることを特徴とする請求項８〜１２いずれか記載の受信方法。
【請求項１４】
請求項１〜６いずれか記載の受信機を含むことを特徴とする通信システム。
【請求項１５】
前記遅延時間は、前記通信システムの送信側から受信側へトレーニング信号を送信し、前記受信側にて受信された前記トレーニング信号の誤り検出結果を基に決定されることを特徴とする請求項１４記載の通信システム。
【発明の詳細な説明】
【技術分野】
【０００１】
本発明は受信機、その受信方法、通信システム及び飛翔体に関し、特に分岐された送信データにそれぞれ異なる遅延時間を与え、これら遅延出力を異なる拡散符号を用いて拡散し、これら拡散出力を合成して送信された信号を受信する受信機、その受信方法、通信システム及び飛翔体に関する。
【背景技術】
【０００２】
図６は航空機の外観を示す図である。図６において、航空機１は、機体の上部に上部アンテナ２が設けられ、機体の下部に下部アンテナ３が設けられており、これらアンテナ２及び３を介して図示せぬ送信側の地上局とスペクトラム拡散通信を行なう。
【０００３】
地上局と航空機１との間の通信において、海面反射波は主信号波に比べ遅延時間が小さく、一般にフェージングを引き起こす。これは主信号波と反射波が逆位相で合成され、受信信号が消滅することを意味する。通常、機体に設けられた上部アンテナ２と下部アンテナ３間では独立な位相関係となるため、同時に断となる確率は小さく、受信品質の高い方を選択して空間ダイバーシチの効果が得られる。
【０００４】
次に、特許文献１に記載のスペクトラム拡散ダイバーシチ送受信機の構成を図７に示す。図７において、送信機では、送信データは誤り訂正符号器１０１により符号化される。これをＮ分岐し、遅延素子１０２‐１〜１０２‐Ｎ−１に通す。ブランチ１に関しては遅延させず、第２のブランチは遅延素子１０２‐１によりτ２の遅延を、第Ｎのブランチは遅延素子１０２‐Ｎ−１によりτＮの遅延を受けるものとする。ここで、遅延時間τ２，τ３，・・・，τＮはいずれも相異なる。次段のインターリーブ回路１０３‐１〜１０３‐Ｎではそれぞれインターリーブ処理を行う。インターリーブ周期をブランチ毎に変える場合と全てのブランチに対して同一周期とする場合が可能であるが、ここでは、ブランチ間でのインターリーブの周期は全て同一であるものとする。インターリーブ回路１０３‐１〜１０３‐Ｎの出力は変調器１０４‐１〜１０４‐Ｎにて１次変調される。Ｎブランチの変調波はスペクトラム拡散回路１０５‐１〜１０５‐Ｎにより拡散される。ここで用いられる拡散符号はそれぞれ相異なり、合成回路１０６で符号化多重が行われ、送信機１０７と送信アンテナ１０８により送信される。
【０００５】
受信機においては、受信機１１０の受信波は分岐回路１１１によりＮ分岐され、スペクトラム逆拡散回路１１２‐１〜１１２‐Ｎにより逆拡散される。ここでは送信機と同じ拡散符号により逆拡散されるので、符号化多重された変調波は各ブランチ毎に分離抽出される。次段の復調器１１３‐１〜１１３‐Ｎは送信側での１次変調に対して、復調を行う。復調器にて判定されたデータ信号はデインターリーブ回路１１４‐１〜１１４‐Ｎによりデインターリーブされ、さらに遅延素子１１５‐１〜１１５‐Ｎにより送信側で与えられた遅延差を吸収するように遅延調整された上で多数決判定回路１１６にて多数決判定を受ける。該回路１１６の出力は最終的に誤り訂正復号器１１７により誤り訂正を受ける。
【０００６】
図７に示した送受信機は、マルチパスフェージングなどに起因する瞬断によるバースト誤りをインターリーブにより単にランダム化するだけでなく、遅延差処理によりダイバーシチブランチ間でもバースト誤りの影響をランダム化し、さらに、多数決判定処理により、ランダム誤りをダイバーシチブランチを利用して抑圧している。この動作は、時間ダイバーシチであり、多数決判定は等価的にダイバーシチ合成またはダイバーシチ切替合成に該当する。したがって、スペクトラム拡散通信において、固定の複数アンテナまたはアダプティアレイなどによる空間ダイバーシチもしくは周波数ダイバーシチを用いなくても、符号化多重によるダイバーシチ受信が可能となる。
【０００７】
【特許文献１】特許２７７８４９８号公報
【発明の開示】
【発明が解決しようとする課題】
【０００８】
図６に示した航空機において、もしアンテナ２及び３間に相関がある場合、ブランチ間のフェージングは相似し、ともに瞬断となる可能性が高い。この場合、受信品質に基づくブランチ間切替も困難となり、空間ダイバーシチの効果を得ることは困難となってしまう。
【０００９】
一方、図７に示した送受信機は、複数アンテナを使用せずにダイバーシチ受信を可能としているが、航空機の場合には機動性が高く激しい姿勢変化が伴うので、受信アンテナが１つである図７に示した送受信機を機動性が高く激しい姿勢変化が伴う航空機に適用しても、その効果を十分に得ることは困難である。
【００１０】
本発明の目的は、機動性が高く激しい姿勢変化が伴う飛翔体においてアンテナ間に相関があってもダイバーシチ受信を有効に行なうことが可能な受信機、その受信方法、通信システム及び飛翔体を提供することである。
【課題を解決するための手段】
【００１１】
本発明による受信機は、分岐された送信データにそれぞれ異なる遅延時間を与え、これら遅延出力を異なる拡散符号を用いて拡散し、これら拡散出力を合成して送信された信号を受信する受信機であって、複数のアンテナと、前記複数のアンテナを介して受信されたブランチ信号を前記異なる拡散符号を用いて逆拡散する逆拡散手段と、前記逆拡散手段の出力にそれぞれ異なる遅延時間を与えて前記送信データに与えられた遅延差を吸収する遅延手段と、前記遅延手段の出力のいずれかを選択出力する切替手段とを含むことを特徴とする。
【００１２】
本発明による別の受信機は、分岐された送信データにそれぞれ異なる遅延時間を与え、これら遅延出力を異なる拡散符号を用いて拡散し、これら拡散出力を合成して送信された信号を受信する受信機であって、複数のアンテナと、前記複数のアンテナ各々毎に、該アンテナを介して受信され分岐されたブランチ信号を前記異なる拡散符号を用いて逆拡散する逆拡散手段と、前記逆拡散手段の出力にそれぞれ異なる遅延時間を与えて前記送信データに与えられた遅延差を吸収する遅延手段と、前記遅延手段の出力のいずれかを選択出力する切替手段とを含むことを特徴とする。
【００１３】
本発明による受信方法は、分岐された送信データにそれぞれ異なる遅延時間を与え、これら遅延出力を異なる拡散符号を用いて拡散し、これら拡散出力を合成して送信された信号を受信する受信機の受信方法であって、前記受信機の複数のアンテナを介して受信されたブランチ信号を前記異なる拡散符号を用いて逆拡散する逆拡散ステップと、前記逆拡散ステップによる逆拡散出力にそれぞれ異なる遅延時間を与えて前記送信データに与えられた遅延差を吸収する遅延ステップと、前記遅延ステップによる遅延出力のいずれかを選択出力する切替ステップとを含むことを特徴とする。
【００１４】
本発明による別の受信方法は、分岐された送信データにそれぞれ異なる遅延時間を与え、これら遅延出力を異なる拡散符号を用いて拡散し、これら拡散出力を合成して送信された信号を受信する受信機の受信方法であって、前記受信機の複数のアンテナ各々毎に、該アンテナを介して受信され分岐されたブランチ信号を前記異なる拡散符号を用いて逆拡散する逆拡散ステップと、前記逆拡散ステップによる逆拡散出力にそれぞれ異なる遅延時間を与えて前記送信データに与えられた遅延差を吸収する遅延ステップと、前記遅延ステップによる遅延出力のいずれかを選択出力する切替ステップとを含むことを特徴とする。
【００１５】
なお、前記受信機は飛翔体に設けられ、前記複数のアンテナは、前記飛翔体の機体上部に設けられる上部アンテナと、機体下部に設けられる下部アンテナとであることを特徴とする。
【００１６】
本発明による飛翔体は、前記受信機を有することを特徴とする。また、本発明による通信システムは、前記受信機を有することを特徴とする。
【００１７】
分岐された送信データにそれぞれ異なる遅延時間を与え、これら遅延出力を異なる拡散符号を用いて拡散し、これら拡散出力を合成して送信された信号を受信する受信機において、複数のアンテナを介して受信されたブランチ信号の逆拡散後に遅延手段によりブランチ間の遅延差を吸収することによってブランチ間タイミングを同期させている。これにより、アンテナ間に相関がある場合でも、各ブランチ間で信号が同時に瞬断となることは回避され、空間ダイバーシチの効果を得ることができる。
【発明の効果】
【００１８】
本発明によれば、分岐された送信データにそれぞれ異なる遅延時間を与え、これら遅延出力を異なる拡散符号を用いて拡散し、これら拡散出力を合成して送信された信号を受信する受信機において、受信機の複数のアンテナを介して受信されたブランチ信号を上記異なる拡散符号を用いて逆拡散し、これら逆拡散出力にそれぞれ異なる遅延時間を与えて送信データに与えられた遅延差を吸収し、これら遅延出力のいずれかを選択出力するようにしているので、機動性が高く激しい姿勢変化が伴う飛翔体においてアンテナ間に相関があってもダイバーシチ受信を有効に行なうことができるという効果が得られる。
【発明を実施するための最良の形態】
【００１９】
以下、本発明の実施例について図面を参照して説明する。
【００２０】
図１は本発明の第１の実施例によるスペクトラム拡散通信システムの構成を示す図である。図１に示したスペクトラム拡散通信システムおいて、送信機は、遅延部１１と、拡散部１３‐１及び１３‐２と、合成部１４と、アンテナ１５とを有し、図示せぬ地上局に設けられる。
【００２１】
また、受信機は、アンテナ１６‐１及び１６‐２と、逆拡散部１７‐１及び１７‐２と、遅延部１９と、切替部２０とを有し、例えば図６に示した航空機１に設けられる。この場合、アンテナ１６‐１及び１６‐２は図６の上部アンテナ２及び下部アンテナ３に相当する。
【００２２】
送信機において、送信データは２分岐され、一方は拡散部１３‐１に入力され、他方は遅延部１１に入力される。すなわち、拡散部１３‐１に入力される送信データは遅延されず、遅延部１１に入力される送信データは遅延部１１によりτの遅延を受けた後、拡散部１３‐２に入力される。なお、拡散部１３‐１の前段にも遅延部を設けて、τとは異なる遅延時間を与えるようにしてもよい。
【００２３】
拡散部１３‐１は、入力データに対して拡散符号（Ａ符号）を用いて拡散変調を行う。拡散部１３‐２は、入力データに対して拡散符号（B 符号）を用いて拡散変調を行う。なお、Ａ符号及びＢ符号は互いに異なる拡散符号である。合成回路１４は拡散部１３‐１及び１３‐２の出力を合成して符号化多重し、アンテナ１５を介して航空機に備えられた受信機へ送信する。
【００２４】
受信機において、アンテナ１６‐１により受信されるブランチ信号（Ａ符号ブランチ信号）は逆拡散部１７‐１に入力され、アンテナ１６‐２により受信されるブランチ信号（Ｂ符号ブランチ信号）は逆拡散部１７‐２に入力される。逆拡散部１７‐１は、拡散部１３‐１で用いられる拡散符号と同じＡ符号を用いて入力信号に対して逆拡散処理を行う。逆拡散部１７‐２は、拡散部１３‐２で用いられる拡散符号と同じＢ符号を用いて入力信号に対して逆拡散処理を行う。
【００２５】
逆拡散部１７‐１の出力は遅延部１９を介して切替部２０に入力され、逆拡散部１７‐２の出力は遅延部を介することなく切替部２０に入力される。遅延部１９の遅延時間は遅延部１１と同じτであり、したがって、逆拡散部１７‐１及び１７‐２の出力は、送信側で与えられた遅延差を吸収するように遅延調整された上で切替部２０に入力される。切替部２０は、入力信号のいずれか一方を選択出力する。
【００２６】
図２は本発明の第１の実施例におけるブランチ間タイミング関係を示す図である。図２に示すように、アンテナ間有相関性のフェージングによりＡ符号ブランチ及びＢ符号ブランチ同時に瞬断となっても（伝搬路上のブランチ間タイミング関係参照）、上述のように送信側において一方のブランチに遅延τを与え、受信側において逆拡散後に他方ブランチに遅延τを与えて両ブランチ間の遅延差τを吸収するようにしているので、Ａ符号ブランチ信号及びＢ符号ブランチ信号の受信レベルが同時に所定の瞬断定義値を下回ることは回避され（受信側切替部２０入力でのブランチ間タイミング関係参照）、ダイバーシチ切替によってアンテナ間有相関性のフェージングを救済することができる（受信側切替部２０出力でのブランチ間タイミング関係参照）。
【００２７】
なお、図２の受信側切替部２０出力でのブランチ間タイミング関係の例では、切替部２０は通常、Ａ符号ブランチ信号を選択出力しており、その受信レベルが瞬断定義値を下回る場合にはＢ符号ブランチ信号を選択出力し、Ａ符号ブランチ信号の受信レベルが再び瞬断定義値を上回ると再びＡ符号ブランチ信号を選択出力するようにしている。なお、切替部２０の動作はこれに限定されず、例えばＡ符号ブランチ信号及びＢ符号ブランチ信号のうち受信レベルの大きい信号を選択出力するようにしてもよい。
【００２８】
図３は本発明の第２の実施例によるスペクトラム拡散通信システムの構成を示す図であり、図１と同等部分は同一符号にて示している。図３に示すように本発明の第２の実施例は、送信機がＦＥＣ（Ｆｏｒｗａｒｄ  Ｅｒｒｏｒ  Ｃｏｒｒｅｃｔｉｏｎ）エンコーダ１０とインターリーブ部１２‐１及び１２‐２を有し、また受信機がデインターリーブ部１８‐１及び１８‐２とＦＥＣデコーダ２１を有している点で第１の実施例と異なる。
【００２９】
送信機において、送信データはＦＥＣエンコーダ１０により符号化された後に２分岐されて、一方がインターリーブ部１２‐１に入力され、他方が遅延部１１を介してインターリーブ部１２‐２に入力される。インターリーブ部１２‐１及び１２‐２の各々は、入力データに対しインターリーブ処理を行って拡散部１３‐１及び１３‐２に出力する。
【００３０】
受信機において、逆拡散部１７‐１及び１７‐２の出力はデインターリーブ部１８‐１及び１８‐２に入力され、送信機におけるインターリーブとは逆のデインターリーブが行われる。ＦＥＣデコーダ２１は、切替部２０の出力に対し誤り訂正復号化を行う。
【００３１】
これにより、本発明の第２の実施例では特許文献１記載の送受信機と同様に、第１の実施例よりビット誤りをさらに抑圧することが可能である。
【００３２】
なお、図３において、ＦＥＣデコーダ２１が切替部２０の後段に設けられているが、切替部２０の後段に設けることに代えて、切替部２０の前段に各ブランチ毎にＦＥＣデコーダを設けるようにしてもよい。また、この場合には、切替部２０は、Ａ符号ブランチ信号及びＢ符号ブランチ信号の誤り検出結果を基にどちらのブランチが回線品質が高いかを判断し、各信号の受信レベルの大小比較と合わせて切替えるようにしてもよい。
【００３３】
図４は本発明の第３の実施例によるスペクトラム拡散通信システムの構成を示す図であり、図３と同等部分は同一符号にて示している。図４に示すように本発明の第３の実施例は、送信機の構成は第２の実施例と同じであるが、受信機の構成が異なる。
【００３４】
受信機において、アンテナ１６‐１にて受信される信号は２分岐され、それら分岐された各ブランチ信号は逆拡散部１７‐１及び１７‐２に入力される。逆拡散部１７‐１及び１７‐２とデインターリーブ部１８‐１及び１８‐２での処理は第２の実施例と同様である。遅延部１９‐１は図３の遅延部１９に対応し、その遅延時間は遅延部１１と同じτである。
【００３５】
また、アンテナ１６‐２にて受信される信号は２分岐され、それら分岐された各ブランチ信号は逆拡散部１７‐３及び１７‐４に入力される。逆拡散部１７‐３及び１７‐４とデインターリーブ部１８‐３及び１８‐４と遅延部１９‐２の処理は、逆拡散部１７‐１及び１７‐２とデインターリーブ部１８‐１及び１８‐２と遅延部１９‐１の処理と同様である。
【００３６】
切替部２０は、第１及び２の実施例では２つのブランチ信号の一方を選択出力していたが、本実施例ではこれら４つのブランチ信号のいずれか一つを選択出力する。
【００３７】
これにより、本発明の第３の実施例では、アンテナを増やすことなくダイバーシチブランチを４重に拡張することができる。
【００３８】
なお、図４において、第２の実施例にて述べたように、切替部２０の後段にＦＥＣデコーダ２１を設けることに代えて、切替部２０の前段に各ブランチ毎にＦＥＣデコーダを設けるようにしてもよい。
【００３９】
以上説明したように本発明の第１〜第３の実施例では、送信側において一方のブランチに遅延τを与え、受信側において逆拡散後に他方ブランチに遅延τを与えて両ブランチ間の遅延差τを吸収するようにしている。この遅延τの値は、送信側から受信側へ予めトレーニング信号を送信することにより決定することができる。図５は遅延τの値を決定する方法を説明するための図である。図５において、システムの送信側には、トレーニング信号生成部３１と、遅延τ決定部３２と、送受信部３３とが設けられ、また受信側には送受信部４１と、誤り検出部４２とが設けられている。
【００４０】
トレーニング信号生成部３１により生成されたトレーニング信号は送受信部３３により無線送信され、受信側では送受信部４１により受信されたトレーニング信号に対し誤り検出部４２により誤り検出を行なって、その誤り検出結果すなわち何ビット目にエラーが発生したかを送受信部４１を介して送信側に通知する。送信側の遅延τ決定部３２は、通知された誤り検出結果に応じて遅延τの値を決定する。この決定された遅延τの値が各実施例における遅延部に設定されるものである。したがって、例えば周期的に以上の動作を行なうことによって遅延τを可変することが可能である。
【図面の簡単な説明】
【００４１】
【図１】本発明の第１の実施例によるスペクトラム拡散通信システムの構成を示す図である。
【図２】本発明の第１の実施例におけるブランチ間タイミング関係を示す図である。
【図３】本発明の第２の実施例によるスペクトラム拡散通信システムの構成を示す図である。
【図４】本発明の第３の実施例によるスペクトラム拡散通信システムの構成を示す図である。
【図５】遅延τの値を決定する方法を説明するための図である。
【図６】航空機の外観を示す図である。
【図７】従来のスペクトラム拡散ダイバーシチ送受信機の構成を示す図である。
【符号の説明】
【００４２】
１０    ＦＥＣエンコーダ
１１，１９，１９‐１，１９‐２    遅延部
１２‐１，１２‐２    インターリーブ部
１３‐１，１３‐２    拡散部
１４    合成部
１５，１６‐１，１６‐２    アンテナ
１７‐１，１７‐２，１７‐３，１７‐４    逆拡散部
１８‐１，１８‐２，１８‐３，１８‐４    デインターリーブ部
２０    切替部
２１    ＦＥＣデコーダ
３１    トレーニング信号生成部
３２    遅延τ決定部
３３，４１    送受信部
４２    誤り検出部
【図１】
2006279624.tif 000003
【図２】
2006279624.tif 000004
【図３】
2006279624.tif 000005
【図４】
2006279624.tif 000006
【図５】
2006279624.tif 000007
【図６】
2006279624.tif 000008
【図７】
2006279624.tif 000009